【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
（ａ）光源光を生成する光源及び（ｂ）前記光源光の少なくとも一部を可視変換光に変換する光変換体を有する照明デバイスであって、前記光変換体は、式（Ｉ）
【化１】
2016517612.tif 000001
により規定され、上記式に定義されるＧ１を伴う有機ルミネセンス材料を含有するマトリクスを有し、式中、Ａ、Ｂ、Ｃ、Ｊ、Ｑは独立して水素、ハロゲン、Ｒ１、ＯＲ２、ＮＨＲ７及びＮＲ２Ｒ７から選択され、Ｒ１が独立してＣ２ないしＣ１８のアルキル、Ｃ６ないしＣ２４のアリール及びＣ６ないしＣ２４のヘテロアリールから選択され、Ｒ２及びＲ７が独立してＣ１ないしＣ１８のアルキル、Ｃ６ないしＣ２４のアリール及びＣ６ないしＣ２４のヘテロアリールから選択される上記式に定義されるＧ１を伴い、Ｇ２ないしＧ９は独立して水素、ハロゲン、Ｒ３、ＯＲ３、ＮＨＲ３及びＮＲ４Ｒ３から選択され、Ｒ３及びＲ４は独立してＣ１ないしＣ１８のアルキル、Ｃ６ないしＣ２４のアリール及びＣ６ないしＣ２４のヘテロアリールから選択され、Ａ、Ｂ、Ｃ、Ｊ、Ｑの一つ以上は独立してイソプロピル又はｔｅｒｔ−ブチルを有する、当該照明デバイス。
【請求項２】
Ｇ８がアミン基を含まない、請求項１記載の照明デバイス。
【請求項３】
Ａ、Ｂ及びＣの２つが独立してイソプロピル及びｔｅｒｔ−ブチルより成る群から選択される、請求項１又は２記載の照明デバイス。
【請求項４】
Ｇ３及びＧ４の一方又は両方が独立してＲ３及びＯＲ３から選択され、Ｒ３＝Ｙであり、Ｄ、Ｅ、Ｉ、Ｌ及びＭは独立して水素、ハロゲン、Ｒ５、ＯＲ５、ＮＨＲ５及びＮＲ６Ｒ５から選択され、Ｒ５及びＲ６は独立してＣ１ないしＣ１８のアルキル、Ｃ６ないしＣ２４のアリール及びＣ６ないしＣ２４のヘテロアリールから選択される、請求項３記載の照明デバイス。
【請求項５】
（ｉ）Ａ及びＣがイソプロピルであり、Ｇ２、Ｇ５、Ｇ７ないしＧ９、Ｂ、Ｊ及びＱが水素であるか又は（ｉｉ）Ｂ及びＣがｔｅｒｔ−ブチルであり、Ｇ２、Ｇ５、Ｇ７ないしＧ９、Ａ、Ｊ及びＱが水素である、請求項１ないし４のいずれか一項に記載の照明デバイス。
【請求項６】
Ｇ３及びＧ４の一方又は両方が独立してＲ３及びＯＲ３から選択され、Ｒ３＝Ｙであり、Ｄ、Ｅ、Ｉ、Ｌ及びＭは水素である、請求項５記載の照明デバイス。
【請求項７】
Ｒ１、Ｒ２、Ｒ３、Ｒ４、Ｒ５、Ｒ６、Ｒ７の１つ以上が利用可能であり、これらの１つ以上は、（ｉ）ｎが１から１８までの整数であり、０≦ｍ≦ｎ／２であるＣｎＨ２ｎ＋１Ｏｍ、（ｉｉ）ｎが１から１８までの整数であり、０≦ｍ≦２ｎ＋１であるＣｎＨ２ｎ＋１−ｍＦｍ、（ｉｉｉ）１つ以上のエーテル基を有するＣ６ないしＣ２４のアリール、（ｉｖ）１つ以上の蛍光体置換基を有するＣ６ないしＣ２４のアリール、（ｖ）１つ以上のエーテル基を有するＣ６ないしＣ２４のヘテロアリール、（ｉｖ）１つ以上の蛍光体置換基を有するＣ６ないしＣ２４のヘテロアリールより成る群から独立して選択される、請求項１ないし６のいずれか一項に記載の照明デバイス。
【請求項８】
赤色光を与える他のルミネセンス材料を更に有し、前記他のルミネセンス材料は式（ＩＩ）
【化２】
2016517612.tif 000002
により規定される有機ルミネセンス材料を有し、
Ｇ１ないしＧ６は独立して直鎖アルキル、分岐アルキル、酸素含有アルキル、シクロアルキル、ナフチル及びＹから選択される基を有し、Ａ、Ｂ、Ｃ、Ｊ及びＱのそれぞれが独立して水素、フッ素、塩素、イソプロピル、ｔ−ブチル、メトキシ、１６個までの炭素原子を有するアルキル及び１６個までの炭素原子を有する酸素含有アルキルから選択される基を有し、
Ｇ２、Ｇ３、Ｇ４及びＧ５は独立して水素、フッ素、塩素、イソプロピル、ｔ−ブチル、メトキシ、１６個までの炭素原子を有するアルキル、１６個までの炭素原子を有する酸素含有アルキル及びＸから選択される基を有しており、Ｄ、Ｅ、Ｉ、Ｌ及びＭのそれぞれは独立して水素、フッ素、塩素、イソプロピル、ｔ−ブチル、メトキシ、１６個までの炭素原子を有するアルキル及び１６個までの炭素原子を有する酸素含有アルキルから選択される基を有し、
Ｇ２、Ｇ３、Ｇ４及びＧ５から選択される少なくとも２つはＸを少なくとも有し、前記Ｇ２、Ｇ３、Ｇ４及びＧ５から選択される少なくとも２つの少なくとも２つのＤ、Ｅ、Ｉ、Ｌ及びＭの少なくとも１つは独立してフッ素及び塩素から選択される基、特にフッ素基を有する、請求項１ないし７のいずれか一項に記載の照明デバイス。
【請求項９】
前記光源が青色光を与え、当該照明デバイスは赤色光を与える他のルミネセンス材料を更に有し、前記他のルミネセンス材料は、（Ｂａ，Ｓｒ，Ｃａ）Ｓ：Ｅｕ、（Ｍｇ，Ｓｒ，Ｃａ）ＡｌＳｉＮ３：Ｅｕ、（Ｂａ，Ｓｒ，Ｃａ）２Ｓｉ５Ｎ８：Ｅｕ及び量子ドットをベースとするルミネセンス材料より成る群から選択されるルミネセンス材料を有する、請求項１ないし８のいずれか一項に記載の照明デバイス。
【請求項１０】
前記マトリクスが、芳香族ポリエステル又はその共重合体を有する、請求項１ないし９のいずれか一項に記載の照明デバイス。
【請求項１１】
Ｇ１、Ｇ２、Ｇ３、Ｇ４、Ｇ５、Ｇ６、Ｇ７、Ｇ８及びＧ９の１つ以上が前記マトリクスとの共有結合を有する、請求項１ないし１０のいずれか一項に記載の照明デバイス。
【請求項１２】
式（Ｉ）
【化３】
2016517612.tif 000003
により規定され、上記式に定義されるＧ１を伴う有機ルミネセンス材料を含有するマトリクスを有する光変換体であって、式中、Ａ、Ｂ、Ｃ、Ｊ、Ｑが独立して水素、ハロゲン、Ｒ１、ＯＲ２、ＮＨＲ７及びＮＲ２Ｒ７から選択され、Ｒ１は独立してＣ２ないしＣ１８のアルキル、Ｃ６ないしＣ２４のアリール及びＣ６ないしＣ２４のヘテロアリールから選択され、Ｒ２及びＲ７が独立してＣ１ないしＣ１８のアルキル、Ｃ６ないしＣ２４のアリール及びＣ６ないしＣ２４のヘテロアリールから選択され、Ｇ２ないしＧ９は独立して水素、ハロゲン、Ｒ３、ＯＲ３、ＮＨＲ３及びＮＲ４Ｒ３から選択され、Ｒ３及びＲ４は独立してＣ１ないしＣ１８のアルキル、Ｃ６ないしＣ２４のアリール及びＣ６ないしＣ２４のヘテロアリールから選択され、Ａ、Ｂ、Ｃ、Ｊ、Ｑの一つ以上は独立してイソプロピル又はｔｅｒｔ−ブチルを有する、当該光変換体。
【請求項１３】
Ｇ３及びＧ４の一方又は両方が独立してＲ３及びＯＲ３から選択され、Ｒ３＝Ｙであって、Ｄ、Ｅ、Ｉ、Ｌ及びＭは水素であり、Ｇ２、Ｇ５、Ｇ７ないしＧ９、Ｊ及びＱは水素である、請求項１２記載の光変換体。
【請求項１４】
Ｒ３＝Ｙであって、Ｄ、Ｅ、Ｉ、Ｌ及びＭは水素であり、前記マトリクスがポリエチレンテレフタレート（ＰＥＴ）を有し、前記マトリクスは前記マトリクス中に組み込まれた他のマトリクス材料を有する、請求項１３記載の光変換体。
【請求項１５】
式（Ｉ）
【化４】
2016517612.tif 000004
により規定され、上記式に定義されるＧ１を伴う有機ルミネセンス材料であって、式中、  Ａ、Ｂ、Ｃ、Ｊ、Ｑが独立して水素、ハロゲン、Ｒ１、ＯＲ２、ＮＨＲ７及びＮＲ２Ｒ７から選択され、Ｒ１は独立してＣ２ないしＣ１８のアルキル、Ｃ６ないしＣ２４のアリール及びＣ６ないしＣ２４のヘテロアリールから選択され、Ｒ２及びＲ７が独立してＣ１ないしＣ１８のアルキル、Ｃ６ないしＣ２４のアリール及びＣ６ないしＣ２４のヘテロアリールから選択され、
Ｇ２ないしＧ９は独立して水素、ハロゲン、Ｒ３、ＯＲ３、ＮＨＲ３及びＮＲ４Ｒ３から選択され、Ｒ３及びＲ４は独立してＣ１ないしＣ１８のアルキル、Ｃ６ないしＣ２４のアリール及びＣ６ないしＣ２４のヘテロアリールから選択され、
Ｇ３及びＧ４の一方又は両方は独立してＲ３及びＯＲ３から選択され、Ｒ３＝Ｙであって、Ｄ、Ｅ、Ｉ、Ｌ及びＭは独立して水素、ハロゲン、Ｒ５、ＯＲ５、ＮＨＲ５及びＮＲ６Ｒ５から選択され、Ｒ５及びＲ６は独立してＣ１ないしＣ１８のアルキル、Ｃ６ないしＣ２４のアリール及びＣ６ないしＣ２４のヘテロアリールから選択され、Ｇ８はアミン基を含まず、Ａ、Ｂ、Ｃ、Ｊ、Ｑの一つ以上は独立してイソプロピル又はｔｅｒｔ−ブチルを有する、当該有機ルミネセンス材料。